(57)【要約】【課題】被験者の睡眠状態の測定意思に基づき簡易な手段により作動するともに、睡眠状態を確認する情報を、有形の記録媒体によって、簡易に確認することができる睡眠状態測定システムを提供する。【解決手段】睡眠状態測定システム１００は、生体センサ２０が接続される睡眠状態測定装置１と、睡眠状態測定装置１に接続される第１のパーソナルコンピュータ３０と、第１のパーソナルコンピュータ３０に電気通信回線Ｌにより接続されるとともに、プリンタ装置６０が接続されている第２のパーソナルパソコン５０を備える。睡眠状態測定装置１は、生体信号の処理の開始を指令する開始指令手段Ｂ２と、生体信号の処理の停止を指定する停止指令手段Ｂ３と、第１のパーソナルコンピュータ３０を介して、プリンタ装置６０に備えられている用紙６１へ、計測処理した生体処理信号を印刷することを第２のパーソナルコンピュータに指令する印刷指令手段Ｂ４と、を備える。【選択図】図１
2011004814.tif 000002
【特許請求の範囲】
【請求項１】
就寝時における被験者の生体状態を検出する生体センサと、
前記生体センサが接続され、前記生体センサから前記生体状態に対応する生体信号が供給されるとともに、前記生体信号の処理の開始を指令する開始指令手段と、前記生体信号の処理の停止を指定する停止指令手段とを備え、前記生体信号を処理し、被験者の睡眠状態を示す少なくとも一つ以上の生体処理信号を出力する睡眠状態測定装置と、
表示部を有し、前記睡眠状態測定装置が接続され、前記生体処理信号が供給され前記表示部に前記生体処理信号を選択的に表示する第１のパーソナルコンピュータと、を備えることを特徴とする睡眠状態測定システム。
【請求項２】
前記睡眠状態測定システムは、用紙を備えるプリンタ装置と、前記プリンタ装置が接続されているとともに、前記第１のパーソナルコンピュータに電気通信回線により接続されている第２のパーソナルコンピュータを備え、
前記睡眠状態測定装置は、前記第１のパーソナルコンピュータを介して、前記生体処理信号を、前記プリンタ装置に備えられている前記用紙へ印刷することを前記第２のパーソナルコンピュータに指令する印刷指令手段を備えていることを特徴とする睡眠状態測定システム。
【請求項３】
前記生体処理信号は、被験者の鼾音に対応する鼾信号、および被験者の体動に対応する体動信号であることを特徴とする請求項１または２のいずれか一つに記載の睡眠状態測定システム。
【請求項４】
前記電気通信回線は、ローカル・エリア・ネットワークであることを特徴とする請求項２または請求項３のいずれか一つに記載の睡眠状態測定システム。
【請求項５】
就寝時における被験者の生体状態を検出する生体センサが接続され、前記生体センサから前記生体状態に対応する生体信号が供給され、前記生体信号を処理し、被験者の睡眠状態を示す少なくとも一つ以上の生体処理信号を出力する睡眠状態測定装置において、
前記生体信号の処理の開始を指令する開始指令手段と、
前記生体信号の処理の停止を指定する停止指令手段と、を備えるとともに、
表示部を有し、前記生体処理信号が供給される第１のパーソナルコンピュータが接続され、
前記第１のパーソナルコンピュータの前記表示部に前記生体処理信号を選択的に表示することを特徴とする睡眠状態測定装置。
【請求項６】
前記睡眠状態測定装置は、用紙を備えるプリンタ装置が接続されているとともに、前記第１のパーソナルコンピュータに電気通信回線により接続されている第２のパーソナルコンピュータに、前記第１のパーソナルコンピュータを介して前記生体処理信号を前記用紙へ印刷することを指令する印刷指令手段を備えていることを特徴とする睡眠状態測定装置。
【請求項７】
前記生体処理信号は、被験者の鼾音に対応する鼾信号、および被験者の体動に対応する体動信号であることを特徴とする請求項５または６のいずれか一つに記載の睡眠状態測定装置。
【請求項８】
前記電気通信回線は、ローカル・エリア・ネットワークであることを特徴とする請求項６または請求項７のいずれか一つに記載の睡眠状態測定装置。
【発明の詳細な説明】
【技術分野】
【０００１】
この発明は、就寝時における被験者の睡眠状態を簡易に測定する睡眠状態測定システム、およびこの睡眠状態測定システムに用いられる睡眠状態測定装置に関する。
【背景技術】
【０００２】
従来、就寝時における被験者の体動を検出し、この体動がなされる頻度等から被験者の睡眠状態を測定する睡眠状態測定装置が提案されている。このような睡眠状態測定装置として、被験者の体動を検出する体動検出手段と、この体動検出手段にて検出される被験者の体動信号を処理する演算手段と、演算手段の出力信号を表示する液晶ディスプレイ等の表示手段とを備え、表示手段に表示される出力信号により睡眠状態を確認するものがある（特許文献１）。
【先行技術文献】
【特許文献】
【０００３】
【特許文献１】特開平４−１０９９６０号公報
【発明の概要】
【発明が解決しようとする課題】
【０００４】
被験者が睡眠状態を測定される意思があるとき、すなわち、被験者が就寝しているときにのみ、睡眠状態は測定されるべきである。また、睡眠状態の測定は簡易な操作によってなされることが求められる。しかしながら、上記のような睡眠状態測定装置は、このような被験者の測定意思に基づき、簡易な手段により作動するものではない。
【０００５】
さらに、上記のような睡眠状態測定装置は、睡眠状態を確認する出力信号は液晶ディスプレイ等の表示手段に表示されるだけである。しかしながら、被験者は、睡眠状態を確認する情報を、液晶ディスプレイ等の表示手段だけではなく、有形の記録媒体によって直接に、かつ、簡易に確認したいという要求がある。
【０００６】
ところで、近年、宿泊客を獲得するための営業活動として、宿泊客に対するサービスの多様化ないし差別化を進めているビジネスホテルが多く存在する。このようなビジネスホテルにおいて、宿泊客に睡眠状態の情報を提供することは、宿泊客に対するサービスを充実させるものと考えられる。
【０００７】
そして、上記のように、ビジネスホテルの客室において簡易な手段により宿泊者の睡眠状態が測定され、被験者である宿泊客に対し、測定した睡眠状態が提供されれば、ビジネスホテルにおけるサービスの多様化ないし差別化が図られる。
【０００８】
そこで、この発明は、被験者の睡眠状態の測定意思に基づき簡易な手段により作動するとともに、睡眠状態を確認する情報を、有形の記録媒体によって直接に、かつ、簡易に確認することができる睡眠状態測定システムを提供すること、およびこの睡眠状態測定システムに用いられる睡眠状態測定装置を提供することを目的とする。
【課題を解決するための手段】
【０００９】
上記の課題を解決するために、本発明の請求項１に記載の睡眠状態測定システムは、就寝時における被験者の生体状態を検出する生体センサと、前記生体センサが接続され、前記生体センサから前記生体状態に対応する生体信号が供給されるとともに、前記生体信号
の処理の開始を指令する開始指令手段と、前記生体信号の処理の停止を指定する停止指令手段とを備え、前記生体信号を処理し、被験者の睡眠状態を示す少なくとも一つ以上の生体処理信号を出力する睡眠状態測定装置と、表示部を有し、前記睡眠状態測定装置が接続され、前記生体処理信号が供給され前記表示部に前記生体処理信号を選択的に表示する第１のパーソナルコンピュータと、を備えることを特徴とする。
【００１０】
本発明の請求項２に記載の睡眠状態測定システムは、用紙を備えるプリンタ装置と、前記プリンタ装置が接続されているとともに、前記第１のパーソナルコンピュータに電気通信回線により接続されている第２のパーソナルコンピュータを備え、前記睡眠状態測定装置は、前記第１のパーソナルコンピュータを介して、前記生体処理信号を、前記プリンタ装置に備えられている前記用紙へ印刷することを前記第２のパーソナルコンピュータに指令する印刷指令手段を備えていることを特徴とする。
【発明の効果】
【００１１】
請求項１に記載の睡眠状態測定システムによれば、被験者の開始指令手段としての開始ボタンの操作により鼾音や体動の生体信号の処理を開始するとともに、停止指令手段としての停止ボタンの操作により生体信号の処理を停止するため、被験者の睡眠状態の測定意思に基づき作動する。また、開始指令手段としての開始ボタンおよび停止指令手段としての停止ボタンの操作のみという簡易な手段により睡眠状態を測定することができる。
【００１２】
請求項２に記載の睡眠状態測定システムによれば、被験者が睡眠状態の測定の終了後に、印刷指令手段としての印刷ボタンを操作すると被験者の睡眠状態を示す情報として生体処理信号が用紙に印刷される。このように生体処理信号が有形の記録媒体である用紙に印刷されることにより、被験者は、直接かつ簡易に自らの睡眠状態を確認することができる。
【図面の簡単な説明】
【００１３】
【図１】本発明の実施形態における睡眠状態測定システムを示す図である。
【図２】本発明の実施形態における睡眠状態測定装置を示す斜視図である。
【図３】本発明の実施形態における睡眠状態測定システムのシステムブロック図である。
【図４】本発明の実施形態における睡眠状態測定装置で処置される被験者の鼾音に対応する生体信号成分を示す図である。
【図５】本発明の実施形態における睡眠状態測定装置で処置される被験者の体動に田対応する生体信号成分を示す図である。
【図６】本発明の実施形態における睡眠状態測定装置で処置される被験者の鼾信号を示す図である。
【図７】本発明の実施形態における睡眠状態測定装置で処置される被験者の体動信号を示す図である。
【発明を実施するための形態】
【００１４】
次に、この発明の実施形態における睡眠状態測定システムを図１に基づき説明する。睡眠状態測定システム１００は、宿泊施設の提供を役務とするビジネスホテルに設置されて良く、客室に設置される生体センサとしてのエアマット式センサ２０、睡眠状態測定装置１および第１のパーソナルコンピュータ３０、並びにフロントに設置される第２のパーソナルコンピュータ５０およびプリンタ装置６０を備え、宿泊客である被験者Hの睡眠状態を測定するものである。
【００１５】
まず、客室に配置されるエアマット式センサ２０、睡眠状態測定装置１および第１のパーソナルコンピュータ３０について説明する。
【００１６】
生体センサとしてのエアマット式センサ２０は、被験者Hが横たわるベッドＡのベッド本体Ａ１とマットレスＡ２の間に配置され、就寝時における被験者Ｈの生体状態を検出する。エアマット式センサ２０は、エアマット式センサ２０に伝達される音およびエアマット式センサ２０に作用する圧力等を検出することができる。
【００１７】
本実施形態では、生体状態である被験者Ｈが発する鼾音およびマットレスＡ２を介して伝えられる被験者Ｈの体動が、エアマット式センサ２０内の圧力変化としてエアマット式センサ２０により検出される。なお、本実施形態では、生体センサとしてエアマット式センサ２０が示されるが、エアマット式センサ２０に限られず圧電センサであっても良い。
【００１８】
睡眠状態測定装置１は、エアマット式センサ２０が接続され、エアマット式センサ２０から被験者Ｈの鼾音および体動である生体状態に対応する生体信号が圧力変化として供給される。上記のように、鼾音による圧力変化は、体動による圧力変化よりも微小であるため、生体信号に含まれる鼾音に対応する生体信号成分は、体動に対応する生体信号成分に対して、微小である。
【００１９】
そして、睡眠状態測定装置１は、エアマット式センサ２０から供給される生体信号を処理し、被験者の睡眠状態を示す少なくとも一つ以上の生体処理信号を出力する。本実施形態においては、生体処理信号としては、被験者Ｈが発する鼾音に対応する鼾信号、および被験者Ｈの体動に対応する体動信号である。なお、睡眠状態測定装置１の詳細については後述する。
【００２０】
本実施形態の第１のパーソナルコンピュータ３０は、表示部としての液晶ディスプレイ３１を一体的に有するラップトップ型のパーソナルコンピュータであり、睡眠状態測定装置１にユニバーサル・シリアル・バス（Ｕｎｉｖｅｒｓａｌ  Ｓｅｒｉａｌ  Ｂｕｓ）（以下「ＵＳＢ」とする。）ケーブル４０により接続されている。そして、第１のパーソナルコンピュータ３０に睡眠状態測定装置１から供給される生体処理信号としての鼾信号および体動信号は、液晶ディスプレイ３１に選択的に表示される。
【００２１】
本実施形態では、第１のパーソナルコンピュータ３０は、液晶ディスプレイ３１を一体的に有するラップトップ型のパーソナルコンピュータであるが、液晶ディスプレイとパーソナルコンピュータ本体が別体であるデスクトップ型のパーソナルコンピュータであって良い。
【００２２】
引き続き、ビジネスホテルのフロントに設置される第２のパーソナルコンピュータ５０およびプリンタ装置６０について説明する。
【００２３】
第２のパーソナルコンピュータ５０は、用紙６１を備えるプリンタ装置６０に接続されているとともに、第１のパーソナルコンピュータ３０に電気通信回線Ｌにより接続されている。本実施形態において、電気通信回線Ｌは、ローカル・エリア・ネットワーク（Ｌｏｃａｌ  Ａｒｅａ  Ｎｅｔｗｏｒｋ）（以下「ＬＡＮ」とする。）回線である。なお、ＬＡＮ回線は、有線または無線であって良い。
【００２４】
次に、図２および図３に基づき、睡眠状態測定装置および睡眠状態測定システムの詳細について説明する。
【００２５】
睡眠状態測定装置１は、本体ケース２と、本体ケース２に内包される制御装置３とを備える。本体ケース２の前面部２ａには、睡眠状態測定装置１のメインスイッチである電源スイッチＢ１、開始指令手段としての開始スイッチＢ２、停止指令手段としての停止スイ
ッチＢ３、および印刷指令手段としての印刷スイッチＢ４が設けられている。
【００２６】
さらに、本体ケース２の前面部２ａには、電源スイッチＢ１により睡眠状態測定装置１がオン状態になったこときに点灯するパイロットランプＬ１、測定ランプＬ２、睡眠状態測定装置１が正常に機能することを示す確認ランプＬ３、送信ランプＬ４、および睡眠状態測定装置１が測定不能となったことを示すエラーランプが設けられている。なお、本実施形態において各種ランプ（Ｌ１からＬ５）として、ＬＥＤが用いられている。
【００２７】
引き続き、睡眠状態測定装置１の制御装置３について図３に基づき説明する。制御装置３は、エアマット式センサ２０が接続されるセンシング部４、周波数分離部としてのハイパスフィルタ５、増幅部６、制御部としてのマイコン７、およびＵＳＢ送信部８を備えている。
【００２８】
センシング部４には、生体状態である被験者Ｈが発する鼾音および被験者Ｈの体動に対応する生体信号が供給される。そして、センシング部４に供給された生体信号は、ハイパスフィルタ５およびマイコン７に供給される。
【００２９】
ハイパスフィルタ５は、鼾音および体動の双方の生体状態に対応する生体信号成分が重畳されている生体信号から、鼾音の周波数帯を含む予め定められた周波数帯に対応する生体信号成分を抽出し出力する。なお、本実施形態のハイパスフィルタ５のカットオフ周波数は、１５Ｈｚに設定されている。
【００３０】
そして、増幅部６は、ハイパスフィルタ５により抽出された上記の予め定められた周波数帯の生体信号成分を増幅する。このように、増幅部６により予め定められた周波数帯の生体信号成分が増幅されることにより、鼾音に対応する生体信号成分が増幅される。この増幅された予め定められた周波数帯の生体信号成分の時間変化は図４に示される。
【００３１】
マイコン７には、体動に対応する生体信号成分が主に含まれる生体信号がセンシング部４から供給されるとともに、増幅された鼾音に対応する生体信号成分が増幅部６から供給される。この体動に対応する生体信号成分が主に含まれる生体信号の時間変化は図５に示される。
【００３２】
そして、マイコン７により、体動に対応する生体信号成分が主に含まれる生体信号、および増幅された鼾音に対応する生体信号成分が積分処理される。本実施形態において、体動に対応する生体信号成分が主に含まれる生体信号の積分処理における積分時間は、約１０分であり、増幅された鼾音に対応する生体信号成分の積分処理における積分時間は、約５分である。なお、積分時間は、上記に示す積分時間に限定されないことはいうまでもない。
【００３３】
本実施形態において、体動に対応する生体信号成分が主に含まれる生体信号を積分処理して得られる体動信号と、増幅された鼾音に対応する生体信号成分を積分処理して得られる鼾信号との２つの生体処理信号がマイコン７より出力される。この鼾信号の時間変化は図６に示され、体動信号の時間変化は図７に示される。
【００３４】
次に、睡眠状態測定装置１に備えられている開始スイッチＢ２、停止スイッチＢ３、および印刷スイッチＢ４について図２および図３に基づき説明する。
【００３５】
開始スイッチＢ２は、睡眠状態測定装置１に対し生体信号の処理の開始を指令する。そして、この指令により、睡眠状態測定装置１は、エアマット式センサ２０により検出される生体信号の処理を開始し、処理された生体処理信号の出力を開始する。
【００３６】
開始スイッチＢ２は、被験者Ｈが就寝する前に睡眠状態の測定を開始したいときに操作され、睡眠状態測定装置１は被験者Ｈの測定を開始したい意思に基づき、開始スイッチＢ２のみの操作である簡易な手法により作動を開始するものである。なお、睡眠状態測定装置１が作動を開始すると測定ランプＬ２が点灯し、被験者Ｈは、測定ランプＬ２の点灯により睡眠状態測定装置１が作動を開始していることを確認することができる。
【００３７】
そして、開始スイッチＢ２の操作により睡眠状態測定装置１から出力が開始された生体処理信号は、ＵＳＢ送信部８からＵＳＢケーブル４０を介して、第１のパーソナルコンピュータ３０に備えられているＵＳＢ受信部３２を経由してデータ処理部３３に供給される。このデータ処理部３３に供給される生体処理信号は、表示部としての液晶ディスプレイ３１に選択的に表示される。
【００３８】
停止スイッチＢ２は、睡眠状態測定装置１に対し生体信号の処理の停止を指令する。そして、この指令により、睡眠状態測定装置１は、エアマット式センサ２０により検出される生体信号の処理を停止する。
【００３９】
停止スイッチＢ２は、被験者Ｈが起床した後に睡眠状態の測定を停止したいときに操作され、睡眠状態測定装置１は被験者Ｈの測定を停止したい意思に基づき、停止スイッチＢ２のみの操作である簡易な手法により作動を停止するものである。なお、睡眠状態測定装置１が作動を停止すると測定ランプＬ２が消灯し、被験者Ｈは、測定ランプＬ２の消灯により睡眠状態測定装置１が作動を停止していることを確認することができる。
【００４０】
そして、被験者Ｈによる開始スイッチＢ２の操作により睡眠状態測定装置１での処理が開始され、その後、被験者Ｈによる停止スイッチＢ３の操作により睡眠状態測定装置１での処理が停止されるまでの生体処理信号は、マイコン７に保存される。
【００４１】
引き続き、印刷スイッチＢ４について説明する。印刷スイッチＢ４が被験者Ｈによる操作によりオンされると、印刷指令信号がマイコン７に供給される。そして、マイコン７からは、停止スイッチＢ３が操作されるまでにマイコン７に保存されている生体処理信号とともに、印刷開始信号がＵＳＢケーブル４０を介して客室に設置されている第１のパーソナルコンピュータ３０に供給される。なお、被験者Ｈが印刷スイッチＢ４を操作すると送信ランプＬ４が点灯し、被験者Ｈは、睡眠状態に関する情報である生体処理信号が送信されていることを確認することができる。
【００４２】
第１のパーソナルコンピュータ３０にマイコン７に保存されていた生体処理信号と印刷開始信号が供給されると、第１のパーソナルコンピュータ３０から電気通信回線Ｌを通じてフロントに設置されている第２のパーソナルコンピュータ５０にマイコン７に保存されていた生体処理信号と印刷開始信号が供給される。そして、第２のパーソナルコンピュータ５０に接続されているプリンタ装置６０から被験者Ｈの睡眠状態を示す情報として、生体処理信号が用紙６１に印刷される。なお、本実施形態において、被験者Ｈの睡眠状態を示す情報として、用紙６１に印刷される生体処理信号としては、図６および図７に示される生体処理信号である。
【００４３】
次に、本実施形態の睡眠状態測定システム１００が有する効果について説明する。
【００４４】
睡眠状態測定システム１００は、被験者Ｈの開始ボタンＢ２の操作により鼾音や体動の生体信号の処理を開始するとともに停止ボタンＢ３の操作により生体信号の処理を停止するため、被験者Ｈの睡眠状態の測定意思に基づき作動する。また、開始ボタンＢ２および停止ボタンＢ３の操作のみという簡易な手段により睡眠状態を測定することができる。
【００４５】
睡眠状態測定システム１００では、被験者Ｈが睡眠状態の測定の終了後に、印刷ボタンＢ４を操作すると被験者Ｈの睡眠状態を示す情報として生体処理信号が用紙６１に印刷される。このように生体処理信号が有形の記録媒体である用紙６１に印刷されることにより、被験者Ｈは、直接かつ簡易に自らの睡眠状態を確認することができる。
【００４６】
さらに、睡眠状態測定システム１００はビジネスホテルに設置されて良く、睡眠状態測定システム１００により宿泊客である被験者Ｈに睡眠状態に関する情報を提供することができる。これにより、ビジネスホテルにおけるサービスの多様化ないし差別化が図られる。
【符号の説明】
【００４７】
１  睡眠状態測定装置
２  本体ケース
３  制御装置
４  センシング部
５  周波数分離部（ハイパスフィルタ）
６  増幅部
７  制御部（マイコン）
２０  生体センサ（エアマット式センサ）
３０  第１のパーソナルコンピュータ
３１  表示部（液晶ディスプレイ）
４０  ＵＳＢケーブル
５０  第２のパーソナルコンピュータ
６０  プリンタ装置
６１  用紙
Ｌ  電気通信回線（ＬＡＮ回線）
【図１】
2011004814.tif 000003
【図２】
2011004814.tif 000004
【図３】
2011004814.tif 000005
【図４】
2011004814.tif 000006
【図５】
2011004814.tif 000007
【図６】
2011004814.tif 000008
【図７】
2011004814.tif 000009